(57)【要約】【課題】印刷ヘッドを容易に交換することができ、ヘッドバネの紛失が防止されるプリンタ装置を提供する。【解決手段】記録媒体に印刷をする印刷ヘッドと、フレームに回転可能に取り付けられたプラテンローラと、前記印刷ヘッドを前記プラテンローラの側に付勢するヘッドバネが取り付けられた支持部と、前記フレームに回動可能に取り付けられ、前記支持部の側部に設けられた突起を係止する係止部が設けられた押さえ部と、を有し、前記ヘッドバネは、前記係止部により前記突起が係止されている状態には、前記印刷ヘッドを前記プラテンローラの側に付勢し、前記押さえ部を回動させると、前記係止部による前記突起の係止が外れることを特徴とするプリンタ装置により上記課題を解決する。【選択図】  図４
2020121418.tif 000002
【特許請求の範囲】
【請求項１】
記録媒体に印刷をする印刷ヘッドと、
フレームに回転可能に取り付けられたプラテンローラと、
前記印刷ヘッドを前記プラテンローラの側に付勢するヘッドバネが取り付けられた支持部と、
前記フレームに回動可能に取り付けられ、前記支持部の側部に設けられた突起を係止する係止部が設けられた押さえ部と、
を有し、
前記ヘッドバネは、前記係止部により前記突起が係止されている状態には、前記印刷ヘッドを前記プラテンローラの側に付勢し、
前記押さえ部を回動させると、前記係止部による前記突起の係止が外れることを特徴とするプリンタ装置。
【請求項２】
前記支持部は、前記フレームに回動可能な状態で取り付けられており、
前記係止部による前記突起の係止が外れると、前記ヘッドバネにより付勢された支持部が回動することを特徴とする請求項１に記載のプリンタ装置。
【請求項３】
前記係止部による前記突起の係止が外れると、前記ヘッドバネにより付勢された前記支持部が前記フレームから分離することを特徴とする請求項１に記載のプリンタ装置。
【請求項４】
前記フレームに回動可能な状態で取り付けられ、前記プラテンローラを支持するとともに、前記回動によって前記プラテンローラが取り外されるレバーを有し、
前記レバーの回転軸と前記押さえ部の回転軸は同軸であることを特徴とする請求項１から３のいずれかに記載のプリンタ装置。
【請求項５】
前記押さえ部は第２の突起を有し、
前記レバーを回動することにより、前記レバーの一部が前記第２の突起と接触し、前記レバーに押された前記押さえ部が回動することを特徴とする請求項４に記載のプリンタ装置。
【発明の詳細な説明】
【技術分野】
【０００１】
本発明は、プリンタ装置に関する。
【背景技術】
【０００２】
プリンタは、商店等のレジスタや持ち運びが可能なモバイル型のレシート発行装置等の用途に幅広く用いられている。プリンタ装置には、いわゆるサーマルプリンタと呼ばれるものがあり、サーマルヘッドとプラテンローラとの間に挟まれた感熱紙に印刷がなされる。
【先行技術文献】
【特許文献】
【０００３】
【特許文献１】実開平０２−１４４４５４号公報
【特許文献２】特開平０９−２１６４３６号公報
【特許文献３】特開２０１４−２１０３８６号公報
【特許文献４】特開平０７−２５６９７８号公報
【特許文献５】特開２０１６−１２０７０８号公報
【発明の概要】
【発明が解決しようとする課題】
【０００４】
サーマルプリンタでは、印刷ヘッドと記録紙とが接触するため、印刷ヘッドが摩耗し、また発熱する印刷ヘッドに異物が付着し取れなくなってしまう場合がある。このような場合には、印刷ヘッドを交換するが、印刷ヘッドはヘッドバネによりプラテンローラ側に押されており、印刷ヘッドの着脱は容易ではない。また、コイルバネ等のヘッドバネは転がりやすく、印刷ヘッドを取り外した際に紛失しやすい。
【０００５】
このため、印刷ヘッドの交換のしやすいプリンタ装置が求められている。
【課題を解決するための手段】
【０００６】
本実施の形態の一観点によれば、記録媒体に印刷をする印刷ヘッドと、フレームに回転可能に取り付けられたプラテンローラと、前記印刷ヘッドを前記プラテンローラの側に付勢するヘッドバネが取り付けられた支持部と、前記フレームに回動可能に取り付けられ、前記支持部の側部に設けられた突起を係止する係止部が設けられた押さえ部と、を有し、前記ヘッドバネは、前記係止部により前記突起が係止されている状態には、前記印刷ヘッドを前記プラテンローラの側に付勢し、前記押さえ部を回動させると、前記係止部による前記突起の係止が外れることを特徴とする。
【発明の効果】
【０００７】
本発明によれば、印刷ヘッドの交換を容易にすることのできるプリンタ装置を提供することができる。
【図面の簡単な説明】
【０００８】
【図１】プリンタ装置の正面図
【図２】第１の実施の形態のプリンタ装置の斜視図
【図３】第１の実施の形態のプリンタ装置の正面図
【図４】第１の実施の形態のプリンタ装置の側面図
【図５】第１の実施の形態のプリンタ装置の操作の過程１を説明する斜視図
【図６】第１の実施の形態のプリンタ装置の操作の過程１を説明する側面図
【図７】第１の実施の形態のプリンタ装置の操作の過程２を説明する斜視図
【図８】第１の実施の形態のプリンタ装置の操作の過程２を説明する側面図
【図９】第１の実施の形態のプリンタ装置の操作の過程２の説明図
【図１０】第１の実施の形態のプリンタ装置の操作の過程３を説明する斜視図
【図１１】第１の実施の形態のプリンタ装置の操作の過程３の説明図
【図１２】第２の実施の形態のプリンタ装置の斜視図
【図１３】第２の実施の形態のプリンタ装置の側面図
【図１４】第２の実施の形態のプリンタ装置の操作の過程１を説明する斜視図
【図１５】第２の実施の形態のプリンタ装置の操作の過程１を説明する側面図
【図１６】第２の実施の形態のプリンタ装置の操作の過程２を説明する斜視図
【図１７】第２の実施の形態のプリンタ装置の操作の過程２を説明する側面図
【図１８】第２の実施の形態のプリンタ装置の操作の過程３を説明する斜視図
【図１９】第３の実施の形態のプリンタ装置の斜視図
【図２０】第３の実施の形態のプリンタ装置の側面図
【図２１】第３の実施の形態のプリンタ装置の操作の過程１を説明する斜視図
【図２２】第３の実施の形態のプリンタ装置の操作の過程１を説明する側面図
【図２３】第３の実施の形態のプリンタ装置の操作の過程２を説明する斜視図
【図２４】第３の実施の形態のプリンタ装置の操作の過程２を説明する側面図
【図２５】第３の実施の形態のプリンタ装置の操作の過程３を説明する斜視図
【図２６】第４の実施の形態のプリンタ装置の正面図
【図２７】第４の実施の形態のプリンタ装置の側面図
【図２８】第４の実施の形態のプリンタ装置の操作を説明する正面図
【図２９】第４の実施の形態のプリンタ装置の操作を説明する側面図
【図３０】第５の実施の形態のプリンタ装置の側面図
【図３１】第５の実施の形態のプリンタ装置の説明図（１）
【図３２】第５の実施の形態のプリンタ装置の説明図（２）
【発明を実施するための形態】
【０００９】
本発明を実施するための形態について、以下に説明する。尚、同じ部材等については、同一の符号を付して説明を省略する。
【００１０】
〔第１の実施の形態〕
プリンタ装置における印刷ヘッドの交換について、図１に基づき説明する。
【００１１】
プリンタ装置は、印刷ヘッド１０、プラテンローラ２０、フレーム３０、ヘッドバネ４０を有している。プラテンローラ２０は回転軸２１を中心に回転可能にフレーム３０に取り付けられている。印刷ヘッド１０は、印刷面がプラテンローラ２０側となるように設置されており、印刷ヘッド１０とフレーム３０との間に設けられたヘッドバネ４０により背面よりプラテンローラ２０側に押されている。
【００１２】
サーマルプリンタの場合、印刷ヘッド１０は、発熱体が発した熱により感熱紙である記録紙を加熱して変色させることで印刷するサーマルヘッドである。印刷ヘッド１０と記録紙とは直接接触し、印刷ヘッド１０による印刷が繰り返されることにより、印刷ヘッド１０の表面が記録紙により擦られて摩耗する場合がある。また、裏面にのりが付着しているラベル紙に印刷をした場合、のりが印刷ヘッド１０とプラテンローラ２０とに挟まれてはみ出して、印刷ヘッド１０の表面に付着し、印刷ヘッド１０の熱により硬化して取れなくなったり、他の異物がのりに貼り付いて取れなくなる場合がある。
【００１３】
これらの場合には、印刷ヘッドを交換する必要があるが、印刷ヘッド１０はヘッドバネ４０によりプラテンローラ２０側に押されているため、印刷ヘッド１０の取り外しや印刷ヘッド１０を取り付ける場合に作業に手間がかかる。
【００１４】
また、印刷ヘッド１０を取り外す際にコイルばねなどのヘッドバネ４０を外す必要がある場合、取り外されたヘッドバネ４０が転がり紛失してしまう可能性がある。
【００１５】
本実施の形態は、上記のような課題を解決するものである。
【００１６】
尚、以下の実施形態では、プリンタ装置の例としてサーマルプリンタについて説明する。
【００１７】
（プリンタ装置）
次に、第１の実施の形態におけるプリンタ装置について、図２〜図４に基づき説明する。図２は本実施の形態におけるプリンタ装置の斜視図であり、図３は正面図であり、図４は側面図である。
【００１８】
本実施の形態におけるプリンタ装置は、印刷ヘッド１０、プラテンローラ２０、フレーム１３０、ヘッドバネ１４０、支持部１５０、レバー１６０、アーム１７０を有している。プラテンローラ２０は回転軸２１を中心に回転可能にフレーム１３０及びレバー１６０により支持されており、レバー１６０の回動操作によりフレーム１３０から取り外すことができる。印刷ヘッド１０は背面に放熱板１１が取り付けられており、印刷面がプラテンローラ２０側となるように設置されている。印刷ヘッド１０を加圧するヘッドバネ１４０は、ヘッドバネ１４０を支持する板状の支持部１５０の放熱板１１と対向する面に取り付けられており、ヘッドバネ１４０により放熱板１１を介し印刷ヘッド１０がプラテンローラ２０側に押されている。不図示の記録媒体である記録紙は、印刷ヘッド１０とプラテンローラ２０との間に挟まれた状態でプラテンローラ２０の回転により搬送され、印刷ヘッド１０により印刷される。本実施の形態においては、ヘッドバネ１４０は、支持部１５０から外れないように、ヘッドバネ１４０の一方の端部を引っ掛けて支持部１５０に取り付けられており、具体的には、ヘッドバネ１４０の一方の端部が、支持部１５０に設けられたフックに引っ掛けられて結合している。
【００１９】
支持部１５０は、回転軸１５１を中心に回動可能にフレーム１３０に取り付けられている。支持部１５０の両側には突起１５２が設けられている。突起１５２は支持部を押さえるためのアーム１７０の係止部１７１により係止されており、支持部１５０の上方向への移動が規制されている。突起１５２が係止部１７１により係止された状態では、取り付けられたヘッドバネ１４０は支持部１５０と印刷ヘッド１０の背面に設けられた放熱板１１との間に挟まれて縮んだ状態となるため、印刷ヘッド１０をプラテンローラ２０側に押す。
【００２０】
本実施の形態においては、レバー１６０及びアーム１７０は回転軸１６１を中心に回動可能な状態でフレーム１３０に取り付けられている。アーム１７０の回転軸はレバー１６０の回転軸１６１と同軸である。尚、本願においては、アーム１７０を押さえ部と記載する場合がある。また、印刷ヘッド１０及び放熱板１１を併せてヘッド部と記載する場合がある。
【００２１】
支持部１５０には不図示の装置等に取り付けるためのネジ穴１５３が設けられていてもよく、例えば、図示するように、ネジ穴１５３は３つ設けられていてもよい。
【００２２】
次に、図２〜図４に示される記録紙に印刷可能な状態から印刷ヘッド１０を取り外す過程について説明する。本実施の形態において印刷ヘッド１０を取り外す際には、回転軸１６１を中心にレバー１６０を回動させる。
【００２３】
最初に、図４に示す状態よりレバー１６０を反時計回りに回動させることにより、図５、図６に示されるようにレバー１６０の開口部１６２に支持されていたプラテンローラ２０が開口部１６２の上側の突起１６３により下側に押されて外れる。図５はこの状態におけるプリンタ装置の斜視図であり、図６は側面図である。
【００２４】
この状態では、図６に示されるように、レバー１６０の図示右側の側部１６４がアーム１７０の突起１７２と接触するが、アーム１７０は回動していないため、係止部１７１により突起１５２が係止されている状態が保たれる。尚、係止部１７１は、アーム１７０の一方の端部側に設けられており、突起１７２はアーム１７０の反対の他方の端部側に設けられている。
【００２５】
図６に示す状態よりレバー１６０をさらに反時計回りに回動させることにより、図７〜図９に示されるように、側部１６４と接触している突起１７２が押され、アーム１７０が回転軸１６１を中心に反時計回りに回動する。図７はこの状態におけるプリンタ装置の斜視図であり、図８は側面図であり、図９はフレーム１３０の一部を取り除いた状態の側面図である。
【００２６】
これにより、突起１５２を係止していた係止部１７１が外れると、ヘッドバネ１４０の付勢力により支持部１５０が上側に押され、図１０及び図１１に示すように支持部１５０は回転軸１５１を中心に回動する。これにより、ヘッドバネ１４０により印刷ヘッド１０が押されなくなるため、印刷ヘッド部を容易に取り外すことができる。図１０は、この状態におけるプリンタ装置の斜視図であり、図１１はフレーム１３０の一部を取り除いた状態の側面図である。
【００２７】
また、図９及び図１１に示すように、支持部１５０のヘッドバネ１４０が取り付けられている面と同じ面に凸部１５５が設けられている。アーム１７０が回動して支持部１５０が回転軸１５１を中心に時計回りに回動すると、凸部１５５が放熱板１１を図示上側に持ち上げ、印刷ヘッド１０が取り外しやすくなる。
【００２８】
印刷ヘッド１０がフレーム１３０に取り付けられている状態では、放熱板１１の両側の突起１１ａは開口部１３１内に入っているが、支持部１５０が回動することにより、凸部１５５が放熱板１１の図示右側の端部と接触し、放熱板１１を図示上側に持ち上げる。これにより、開口部１３１より突起１１ａが外に出るため、印刷ヘッド１０の取り外しが容易になる。
【００２９】
尚、ヘッドバネ１４０は、はずれないように支持部１５０に取り付けられているため、印刷ヘッド１０の交換作業時にヘッドバネ１４０が紛失することを防止できる。
【００３０】
〔第２の実施の形態〕
第２の実施の形態におけるプリンタ装置について、図１２及び図１３に基づき説明する。図１２は本実施の形態におけるプリンタ装置の斜視図であり、図１３は側面図である。
【００３１】
本実施の形態におけるプリンタ装置は、印刷ヘッド１０、プラテンローラ２０、フレーム２３０、ヘッドバネ１４０、支持部２５０、レバー１６０、アーム２７０を有している。プラテンローラ２０は回転軸２１を中心に回転可能な状態でフレーム２３０及びレバー１６０により支持されている。ヘッドバネ１４０は、支持部２５０の放熱板１１と対向する面に取り付けられている。
【００３２】
支持部２５０は、回転軸２５１がフレーム２３０に設けられた支持部２３２により支持され、回転軸を中心に回動可能にフレーム２３０に取り付けられている。支持部２５０の両側には突起２５２が設けられている。突起２５２はアーム２７０の係止部２７１により係止されており、支持部２５０の上方向への移動が規制されている。突起２５２が係止部２７１により係止された状態では、ヘッドバネ１４０は、支持部２５０と放熱板１１との間に挟まれて縮んだ状態となるため、印刷ヘッド１０をプラテンローラ２０側に押す。
【００３３】
本実施の形態においては、レバー１６０及びアーム２７０は回転軸１６１を中心に回動可能な状態でフレーム１３０に取り付けられており、アーム２７０の回転軸はレバー１６０の回転軸１６１と同軸である。アーム２７０は押さえ部の一例である。
【００３４】
次に、図１２及び図１３に示す状態から印刷ヘッド１０を取り外す過程について説明する。本実施の形態において、印刷ヘッド１０を取り外す際には、回転軸１６１を中心にレバー１６０を回動させる。
【００３５】
最初に、図１３に示す状態よりレバー１６０を反時計回りに回動させることにより、図１４及び図１５に示されるように、レバー１６０の開口部１６２に支持されていたプラテンローラ２０が開口部１６２の上側の突起１６３により下側に押され外れる。図１４は、この状態におけるプリンタ装置の斜視図であり、図１５は側面図である。
【００３６】
この状態では、図１５に示されるように、レバー１６０の右側の側部１６４がアーム２７０の突起２７２と接触するが、アーム２７０は回動していないため、係止部２７１により突起２５２が係止されている状態が保たれる。係止部２７１はアーム２７０の一方の端部に設けられており、突起２７２はアーム２７０の他方の端部側に設けられている。
【００３７】
図１５に示す状態よりレバー１６０をさらに反時計回りに回動させることにより、図１６及び図１７に示されるように、側部１６４と接触している突起２７２が押され、アーム２７０が回転軸１６１を中心に反時計回りに回動する。図１６は、この状態におけるプリンタ装置の斜視図であり、図１７は側面図である。
【００３８】
これにより、突起２５２を係止していた係止部２７１が外れ、ヘッドバネ１４０により支持部２５０が上側に押され、図１８に示すように支持部２５０は回転軸２５１を中心に回動する。これにより、印刷ヘッド１０を押していたヘッドバネ１４０の付勢力がなくなるため、印刷ヘッド部を容易に取り外すことができる。図１８はこの状態におけるプリンタ装置の斜視図である。
【００３９】
尚、上記以外の内容については、第１の実施の形態と同様である。
【００４０】
〔第３の実施の形態〕
第３の実施の形態におけるプリンタ装置について、図１９及び図２０に基づき説明する。図１９は本実施の形態におけるプリンタ装置の斜視図であり、図２０は側面図である。
【００４１】
本実施の形態におけるプリンタ装置は、印刷ヘッド１０、プラテンローラ２０、フレーム３３０、ヘッドバネ１４０、支持部３５０、レバー１６０、アーム２７０を有している。プラテンローラ２０は回転軸２１を中心に回転可能な状態でフレーム３３０及びレバー１６０により支持されている。ヘッドバネ１４０は、支持部３５０の放熱板１１と対向する面に取り付けられており、その放熱板１１を介し印刷ヘッド１０をプラテンローラ２０側に押している。
【００４２】
支持部３５０の側部には、他の部分より突き出た第１の突起３５１と第２の突起３５２が設けられている。第１の突起３５１は支持部３５０の両側部に設けられ、フレーム３３０に設けられた係止部３３３に係止されている。また、第２の突起３５２は支持部３５０の両側部に設けられ、アーム２７０の係止部２７１により係止され、支持部３５０の上方向への移動が規制されている。第２の突起３５２が係止部２７１により係止された状態では、ヘッドバネ１４０は支持部３５０と放熱板１１との間に挟まれて縮んだ状態となるため、印刷ヘッド１０をプラテンローラ２０側に押す。
【００４３】
次に、図１９及び図２０に示す状態から印刷ヘッド１０を取り外す過程について説明する。本実施の形態において、印刷ヘッド１０を取り外す際には、回転軸１６１を中心にレバー１６０を回動させる。
【００４４】
最初に、図２０に示す状態よりレバー１６０を反時計回りに回動させることにより、図２１及び図２２に示されるように、レバー１６０の開口部１６２に支持されていたプラテンローラ２０が開口部１６２の上側の突起１６３により下側に押され、外れる。図２１はこの状態におけるプリンタ装置の斜視図であり、図２２は側面図である。
【００４５】
この状態では、図２２に示されるようにレバー１６０の側部１６４がアーム２７０の突起２７２と接触するが、アーム２７０は回動していないため、係止部２７１により両側の第２の突起３５２が係止されている状態が保たれる。
【００４６】
図２２に示される状態よりレバー１６０をさらに反時計回りに回動させることにより、図２３及び図２４に示されるように、レバー１６０の側部１６４と接触している突起２７２が押され、アーム２７０が回転軸１６１を中心に反時計回りに回動する。図２３はこの状態におけるプリンタ装置の斜視図であり、図２４は側面図である。これにより、第２の突起３５２を係止していた係止部２７１が外れ、支持部３５０は図２４において左斜め上方向に移動可能な状態となる。
【００４７】
これにより、図２５に示されるように、ヘッドバネ１４０により支持部３５０が押され、第１の突起３５１が係止部３３３の開口より外に出て、支持部３５０が分離して外れる。これにより、印刷ヘッド１０を押していたヘッドバネ１４０の付勢力がなくなるため、印刷ヘッド部を容易に取り外すことができる。図２５はこの状態におけるプリンタ装置の斜視図である。
【００４８】
尚、上記以外の内容については、第１の実施の形態または第２の実施の形態と同様である。
【００４９】
〔第４の実施の形態〕
次に、第４の実施の形態におけるプリンタ装置について、図２６及び図２７に基づき説明する。図２６は本実施の形態におけるプリンタ装置の正面図であり、図２７は側面図である。
【００５０】
本実施の形態におけるプリンタ装置は、レバー１６０を動かすことなく、レバー４７０のみを動かすことにより印刷ヘッド１０を取り外すことができるものである。レバー４７０は押さえ部の一例である。
【００５１】
本実施の形態におけるプリンタ装置は、印刷ヘッド１０、プラテンローラ２０、フレーム１３０、ヘッドバネ１４０、支持部４５０、レバー１６０、支持部４５０を押さえるレバー４７０を有している。ヘッドバネ１４０は、支持部４５０の放熱板１１と対向する面に取り付けられており、その付勢力により印刷ヘッド１０をプラテンローラ２０側に押す。
【００５２】
支持部４５０は、回転軸４５１を中心に回動可能な状態でフレーム１３０に取り付けられている。支持部４５０の両側には他の部分より突き出た突起４５２が設けられており、突起４５２がレバー４７０の係止部４７１により係止されて支持部４５０の上方向への移動が規制されている。突起４５２が係止部４７１により係止された状態では、ヘッドバネ１４０は支持部４５０と印刷ヘッド１０の背面に設けられた放熱板１１との間に挟まれて縮んだ状態となるため、印刷ヘッド１０をプラテンローラ２０側に押す付勢力が働いている。
【００５３】
次に、図２６及び図２７に示す状態から印刷ヘッド１０を取り外す過程について説明する。本実施の形態において印刷ヘッド１０を取り外す際には、回転軸１６１を中心にレバー１６０を回動させる。
【００５４】
具体的には、図２６及び図２７に示す状態よりレバー４７０を時計回りに回動させる。これにより、突起４５２を係止していた係止部４７１が外れるとヘッドバネ１４０の付勢力により支持部４５０が上側に押され、図２８及び図２９に示すように支持部４５０は回転軸４５１を中心に回動する。これにより、印刷ヘッド１０を押していたヘッドバネ１４０の付勢力がなくなるため、印刷ヘッド部を容易に取り外すことができる。図２８はこの状態におけるプリンタ装置の上面図であり、図２９は側面図である。
【００５５】
尚、上記以外の内容については、第１の実施の形態と同様である。また、本実施の形態は、第２及び第３の実施の形態にも適用可能である。
【００５６】
〔第５の実施の形態〕
次に、第５の実施の形態におけるプリンタ装置について、図３０から図３２に基づき説明する。
【００５７】
本実施の形態におけるプリンタ装置は、印刷ヘッド、プラテンローラ２０、フレーム５３０、ヘッドバネ１４０、支持部５５０、操作レバー５６０、付勢バネ５８０を有している。操作レバー５６０は、図３１に示されるように、一方の側にプラテンローラ２０を支持する開口部５６１が設けられており、他方の側に支持部５５０の突起５５２を係止する係止部５６２が設けられている。操作レバー５６０を付勢する付勢バネ５８０の一方の端部はフレーム５３０の一部５３４に接続されており、他方の端部は操作レバー５６０に接続されている。図３０に示す状態では付勢バネ５８０は縮んでいる状態にあり、操作レバー５６０は付勢バネ５８０の付勢力により図示左側に押されている。
【００５８】
プラテンローラ２０は回転軸２１を中心に回転可能な状態でフレーム５３０及び操作レバー５６０により支持されている。ヘッドバネ１４０は、支持部５５０の放熱板１１と対向する面に取り付けられており、放熱板１１を介し印刷ヘッドをプラテンローラ２０側に押している。
【００５９】
支持部５５０は回転軸５５１を中心に回動可能な状態でフレーム５３０に取り付けられている。支持部５５０の両側には他の部分より突き出た突起５５２が設けられており、突起５５２が操作レバー５６０の係止部５６２により係止され、支持部５５０の上方向への移動が規制されている。突起５５２が係止部５６２により係止された状態では、ヘッドバネ１４０は支持部５５０と印刷ヘッドの背面に設けられた放熱板１１との間に挟まれて縮んだ状態となるため、印刷ヘッドをプラテンローラ２０側に押す。
【００６０】
本実施の形態においてプラテンローラ２０を取り外す場合には、図３１に示されるように操作レバー５６０の図示下側を右方向に動かす。これにより、プラテンローラ２０の支持が外れ、開口部５６１の外にプラテンローラ２０が出るため、プラテンローラ２０を取り外すことができる。
【００６１】
また、印刷ヘッドを取り外す場合には、図３２に示されるように、操作レバー５６０の図示上側を右方向に動かすことにより、両側の突起５５２を係止していた係止部５６２が外れ、支持部５５０は回転軸５５１を中心に回動可能な状態となる。この状態においては、ヘッドバネ１４０により支持部５５０が上側に押され回転軸５５１を中心に回動する。これにより、印刷ヘッドを押していたヘッドバネ１４０の付勢力がなくなるため、印刷ヘッド部を容易に取り外すことができる。
【００６２】
尚、上記以外の内容については、第１の実施の形態と同様である。
【００６３】
以上、本発明の実施に係る形態について説明したが、上記内容は、発明の内容を限定するものではない。
【符号の説明】
【００６４】
１０        印刷ヘッド
１１        放熱板
２０        プラテンローラ
２１、１５１、１６１      回転軸
１３０      フレーム
１３１、１６２      開口部
１４０      ヘッドバネ
１５０      支持部
１５２、１６３、１７２      突起
１５５      凸部
１６０      レバー
１６４      側部
１７０      アーム
１７１      係止部
【図１】
2020121418.tif 000003
【図２】
2020121418.tif 000004
【図３】
2020121418.tif 000005
【図４】
2020121418.tif 000006
【図５】
2020121418.tif 000007
【図６】
2020121418.tif 000008
【図７】
2020121418.tif 000009
【図８】
2020121418.tif 000010
【図９】
2020121418.tif 000011
【図１０】
2020121418.tif 000012
【図１１】
2020121418.tif 000013
【図１２】
2020121418.tif 000014
【図１３】
2020121418.tif 000015
【図１４】
2020121418.tif 000016
【図１５】
2020121418.tif 000017
【図１６】
2020121418.tif 000018
【図１７】
2020121418.tif 000019
【図１８】
2020121418.tif 000020
【図１９】
2020121418.tif 000021
【図２０】
2020121418.tif 000022
【図２１】
2020121418.tif 000023
【図２２】
2020121418.tif 000024
【図２３】
2020121418.tif 000025
【図２４】
2020121418.tif 000026
【図２５】
2020121418.tif 000027
【図２６】
2020121418.tif 000028
【図２７】
2020121418.tif 000029
【図２８】
2020121418.tif 000030
【図２９】
2020121418.tif 000031
【図３０】
2020121418.tif 000032
【図３１】
2020121418.tif 000033
【図３２】
2020121418.tif 000034